(57)【特許請求の範囲】
【請求項１】
フラッシュ紡糸で作られたフィルム−フィブリルの三次元網状組織からなるストランドであって、上記フィルム−フィブリルの各々が、少なくとも１つのポリエステルポリマー、及びポリエチレンポリマーおよびコポリマー、ポリプロピレンポリマーおよびコポリマー、エチレンとビニルアルコールのグラフト化および未グラフト化コポリマー、メクアクリル酸のコポリマー、ポリエステルエラストマーコポリマーおよびナイロンポリマーおよびコポリマーの群から選択される少なくとも２つの異なるポリマーから成る少なくとも３つの異なる合成有機ポリマーのブレンドであり、上記ポリマーの各々が上記フィルム−フィブリルの１から９８重量％を構成する、ただしポリエチレンポリマーまたはコポリマーおよびポリプロピレンポリマーまたはコポリマーの両者が上記ブレンドに含まれている場合には両者の合計量は上記フィルム−フィブリルの３８重量％を超えない、ことを特徴とするストランド。
【請求項２】
上記ポリエステルポリマーがポリエチレンテレフタレート、ポリブチレンテレフタレートまたは両者である請求の範囲第１項記載のストランド。
【請求項３】
ポリエステルが上記フィルム−フィブリルの３０から９０重量％を構成する請求の範囲第１項記載のストランド。
【請求項４】
ポリエチレンが上記フィルム−フィブリルの３０から９０重量％を構成する請求の範囲第１項記載のストランド。
【請求項５】
上記ポリエステルがポリブチレンテレフタレートでありそして上記ブレンドがポリブチレンテレフタレートを４０から８０重量％、ポリエステルエラストマーコポリマーを５から２０重量％、高密度ポリエチレンを５から１９重量％、ポリプロピレンを５から１９重量％およびエチレンとビニルアルコールのコポリマーを１から５重量％含む請求の範囲第１項記載のストランド。
【発明の詳細な説明】
発明の分野
本発明は、新規なプレキシフィラメンタリー（ｐｌｅｘｉｆｉｌａｍｅｎｔａｒｙ）繊維ストランドより詳細には繊維形成（ｆｉｂｅｒ  ｆｏｒｍｉｎｇ）ポリマー類の混合物のフラッシュ紡糸で作られた（ｆｌａｓｈ−ｓｐｕｎ）プレキシフィラメンタリーフィルム−フィブリルストランド（ｆｉｌｍ−ｆｉｂｒｉｌ  ｓｔｒａｎｄｓ）、すなわち、フィルム−フィブリルの三次元網状組織からなるストランド、に関する。
発明の背景
Ｂｌａｄｅｓ他の米国特許第３，０８１，５１９号［Ｅ．Ｉ．ｄｕ  Ｐｏｎｔ  ｄｅ  Ｎｅｍｏｕｒｓ  ａｎｄ  Ｃｏｍｐａｎｙ（「デュポン」）に譲渡］には、繊維形成ポリマーが液状のスピン剤（ｓｐｉｎ  ａｇｅｎｔ）に入っている溶液をフラッシュ紡糸してより低い温度および実質的により低い圧力のゾーンの中に入れることでプレキシフィラメンタリーフィルム−フィブリルストランドを生じさせる方法が記述されている。Ａｎｄｅｒｓｏｎ他の米国特許第３，２２７，７９４号（デュポンに譲渡）には、Ｂｌａｄｅｓ他が開示した方法を用いて、上記ポリマーとスピン剤の溶液の圧力をプレフラッシングレットダウンチャンバ（ｐｒｅｆｌａｓｈｉｎｇ  ｌｅｔｄｏｗｎ  ｃｈａｍｂｅｒ）内で低下させる結果としてポリマーが豊富な相にスピン剤が豊富な相が入っている緻密で均一な分散液を含む２相溶液を生じさせるとプレキシフィラメンタリーフィルム−フィブリルストランドが最良に得られることが開示されている。この２相分散液が紡糸用オリフィスを通って放出されて、より低い温度および圧力のゾーンの中に入ると、上記スピン剤が蒸発することでポリマーが冷却され、それによって今度は上記ポリマーがプレキシフィラメンタリーストランドを形成する。
本明細書で用いる如き用語「プレキシフィラメンタリーストランド」は、ランダムな長さを有していて平均フィルム厚が約４ミクロン以下で繊維幅中央値が約２５ミクロン以下の数多くの薄いリボン様フィルム−フィブリル（これらは一搬に上記ストランドの縦方向軸と同一の空間内に広がって整列している）の三次元網状組織（ｔｈｒｅｅ−ｄｉｍｅｎｓｉｏｎａｌ  ｉｎｔｅｇｒａｌ  ｎｅｔｗｏｒｋ）であるとして特徴づけられるストランドを意味する。プレキシフィラメンタリーストランドでは、上記フィルム−フィブリルが上記ストランドの長さ、幅および厚み全体に渡っていろいろな場所で不規則な間隔で断続的に結合および分離していることで、三次元網状組織が形作られている。
Ａｎｄｅｒｓｏｎ他は、Ｂｌａｄｅｓ他の方法に従ってプレキシフィラメンタリーストランドを成功裏にフラッシュ紡糸するには、工程パラメーター、例えば圧力、温度、およびポリマーとスピン剤の比率を正確に調節する必要があることを開示している。Ｂｌａｄｅｓ他の方法およびＡｎｄｅｒｓｏｎ他の方法に従うポリマー類の溶液フラッシュ紡糸（ｓｏｌｕｔｉｏｎ  ｆｌａｓｈ−ｓｐｉｎｎｉｎｇ）は、（１）スピン剤が示す通常の沸点以下で該ポリマーに対して非溶媒であり、（２）高圧下で該ポリマーと一緒に溶液を形成し、（３）レットダウンチャンバ内で圧力を若干低くした時に該ポリマーが入っている所望の２相分散液を形成しそして（４）上記レットダウンチャンバから実質的により低い圧力のゾーンの中に放出された時に瞬間的に蒸発する（ｆｌａｓｈ  ｖａｐｏｒｉｚｅｓ）適合性スピン剤が存在する場合のポリマー類に限定される。溶液フラッシュ紡糸はポリマーブレンド物の紡糸ではほとんど用いられて来なかった、と言うのは、単一組の加工条件下で単一のスピン剤を用いたのでは一般に複数のポリマー類が充分に紡糸されることはないからである。
Ｕｎｉｔｉｋａ  Ｌｔｄ．が提出したヨーロッパ特許出願公開第６４５４８０号には、塩化メチレンに溶解させたポリオレフィンとポリエステルポリマー類の溶液からフラッシュ紡糸したプレキシフィラメンタリー繊維構造物が開示されている。その開示されたポリオレフィン類にはポリエチレンおよびポリプロピレンポリマー類およびコポリマー類が含まれる。その開示されたポリエステルにはポリエチレンテレフタレートおよびポリブチレンテレフタレートが含まれる。このＵｎｉｔｉｋａの特許に開示されているポリオレフィンとポリエステルの混合比（重量）は５／９５から９５／５である。
英国特許第９７０，０７０号（デュポンに譲渡）には、ポリエチレンと少量の別のポリマー、例えばポリアミド、ポリ塩化ビニル、ポリスチレンまたはポリウレタンから成るブレンド物からフラッシュ紡糸した繊維で作られた不織シートが開示されている。
ポリマーとスピン剤が入っている溶液を最初に生じさせることなくスピン剤の中にポリマーが微分散している分散液を用いて良質なプレキシフィラメンタリー繊維ストランドを紡糸することができることを見い出した。ポリマーとＣＯ2と水から機械的に生じさせた分散液からポリマーをフラッシュ紡糸する方法はＣｏａｔｅｓ他の米国特許第５，１９２，４６８号（デュポンに譲渡）（これは引用することによって本明細書に組み入れられる）に開示されている。Ｃｏａｔｅｓ他が紡糸したポリマー類は、とりわけ、エチレンとビニルアルコールのコポリマー類と一緒にブレンドしたポリエチレン、およびエチレンとビニルアルコールのコポリマーと一緒にブレンドしたポリプロピレンである。
相溶しないポリマー類をブレンドして単一の繊維にすると、歴史的には、特性、特に最終的な繊維強度特性がいくらか悪化していた。例えば、ポリエチレンテレフタレート（ＰＥＴ）とナイロン６のブレンド物を溶融紡糸しようとする最近の研究で、ＰＥＴにナイロン６を５％添加すると結果としてじん性および破壊伸びが５％失われることが示された［Ｊｏｕｒｎａｌ  ｏｆ  Ａｐｐｌｉｅｄ  Ｐｏｌｙｍｅｒ  Ｓｃｉｅｎｃｅ、５５巻、５７−６７頁（１９９５）］。このように、相溶しない３種類以上のポリマー類から成るブレンド物をフラッシュ紡糸しても実際には繊維特性（繊維のじん性が含まれる）の向上は期待されないであろう。
ここに、ポリマーと超臨界二酸化炭素と水から機械的に生じさせた分散液を用いるか或はポリマーが溶媒に入っている溶液を用いて３種類以上のポリマー類から成るブレンド物をフラッシュ紡糸することができることを見い出した。また、そのような数多くのポリマーブレンド物から紡糸したプレキシフィラメンタリーストランドは上記ポリマー類のほんの１つまたは２つからフラッシュ紡糸した繊維に比較して向上した特性を示すことも見い出した。本発明の繊維ストランドは多様な最終使用で用いるに有用であり、そのような使用にはフィルター、吸収用ワイプ（ｗｉｐｅｓ）、熱および音響絶縁材料、および衣類などが含まれる。
発明の要約
本発明では、ストランド軸に実質的に沿って整列しているフィルム−フィブリルの三次元網状組織（プレキシフィラメンタリー繊維）からなるストランドが提供される。上記フィルム−フィブリルの各々は第一、第二および第三合成有機ポリマー類を含み、上記ポリマー類の各々で上記フィルム−フィブリルの２から９６重量％を構成させる。好適には、上記第二ポリマーおよび第三ポリマーの各々を上記第一ポリマーの全体に渡って分散させ、そして上記第一、第二および第三ポリマー類の各々を、それの溶融状態において溶融状態の上記ポリマー類の他の２ついずれにも混和しないポリマーで本質的に構成させる。上記プレキシフィラメンタリー繊維ストランドの第二ポリマーおよび第三ポリマーを個々別々の粒子形態または２連続（ｂｉｃｏｎｔｉｎｕｏｕｓ）網状組織として上記第一ポリマーの全体に渡って均一に分散させるのが更に好適である。上記繊維に含めるポリマー類の１つを好適にはポリエステルで構成させ、そして上記繊維の第二および第三ポリマーの各々を好適にはポリエチレンポリマー類およびコポリマー類、ポリプロピレンポリマー類およびコポリマー類、エチレンとビニルアルコールのグラフト化（ｇｒａｆｔｅｄ）および未グラフト化コポリマー類、メタアクリル酸のコポリマー類、ポリエステルエラストマーコポリマー類、ナイロンポリマー類およびコポリマー類、およびポリエステルポリマー類およびコポリマー類の群から選択されるポリマーで構成させる。
図の簡単な説明
本明細書に組み入れることで本明細書の一部を構成する添付図に本発明の現在好適な態様を示しそしてそれを記述と一緒に用いて本発明の原理を説明する。
図１は、実施例１８に記述するプレキシフィラメンタリーストランドの断面を示す倍率が５４，６００倍の透過電子顕微鏡写真である。
図２は、比較実施例６に記述するプレキシフィラメンタリーストランドの断面を示す倍率が２６，０００倍の透過電子顕微鏡写真である。
図３は、実施例６に記述するプレキシフィラメンタリーストランドの断面を示す倍率が３３，８００倍の透過電子顕微鏡写真である。
図４は、実施例６に記述するプレキシフィラメンタリーストランドの断面を示す倍率が３３，８００倍の透過電子顕微鏡写真である。
図５は、実施例２に記述するプレキシフィラメンタリーストランドの断面を示す倍率が６５，０００倍の透過電子顕微鏡写真である。
図６は、実施例１８に記述するプレキシフィラメンタリーストランドの断面を示す倍率が２２，１００倍の透過電子顕微鏡写真である。
図７は、実施例１９に記述するプレキシフィラメンタリーストランドサンプルの測定見掛け繊維幅を示す分布図である。
図８は、比較実施例１０に記述するプレキシフィラメンタリーストランドサンプルの測定見掛け繊維幅を示す分布図である。
好適な態様の詳細な説明
ここに、本発明の現在好適な態様を詳細に言及し、その例を以下に説明する。本発明のプレキシフィラメンタリーストランド材料を３種類以上の繊維形成ポリマー類から成るブレンド物で構成させる。以下に示す実施例で分かるであろうように、３種類以上のポリマー類から成るブレンド物のフラッシュ紡糸では、いろいろな成分ポリマー類の特性を選択的に組み合わせかつ個々の成分の特性が向上するように注文に合わせてブレンドすることができる。例えば、ポリエステルとポリエチレンとポリプロピレンのブレンド物を用いると、ポリエステルに関連した高い溶融温度と加工の容易さを示し、ポリエチレンに関連した引張り強度を示しかつポリプロピレンに関連した繊維繊度と柔らかさを持つプレキシフィラメンタリーストランドを製造することができる。実際、個々のポリマー成分いずれかからフラッシュ紡糸したプレキシフィラメンタリーストランドが示す匹敵する特性よりも優れた特性を数多く有する多ポリマー（ｍｕｌｔｉ−ｐｏｌｙｍｅｒ）プレキシフィラメンタリーストランドをフラッシュ紡糸することができる。プレキシフィラメンタリー繊維ストランドのフラッシュ紡糸を、３種類以上のポリマーの組み合わせを用いて、そのストランドが特定用途、例えば熱および音響絶縁材料、衣類、フィルター、または吸収材などの用途で用いるに特に有用な特性を達成するように実施することができる。本発明の多ポリマープレキシフィラメンタリーストランドの紡糸を、Ｃｏａｔｅｓ他の米国特許第５，１９２，４６８号に開示されている方法に従い、ポリマーとＣＯ2と水から機械的に生じさせた分散液を用いて行うか、或はＡｎｄｅｒｓｏｎ他の米国特許第３，２２７，７９４号に開示されているように、ポリマーが溶媒に入っている溶液を用いて行う。
本発明のプレキシフィラメンタリー繊維のフラッシュ紡糸は、Ｃｏａｔｅｓ他が記述した如き高圧バッチ反応槽または高圧高せん断連続ミキサー内で機械的に生じさせた分散液を用いて実施可能である。以下に示す実施例で用いる連続ミキサーは回転ミキサーであり、これを４１，０００ｋＰａに及ぶ圧力下３００℃に及ぶ温度で運転した。このミキサーにはポリマーの入り口が備わっており、その入り口を通してポリマーの溶融ブレンド物を上記ミキサーに連続的に導入した。上記ミキサーにはまたＣＯ2入り口も備わっており、この入り口を通して超臨界ＣＯ2を上記ミキサーに入るポリマー流れの中に上記ポリマーが上記ミキサーの混合用チャンバの中に入る前に連続導入した。このミキサーの混合用チャンバに上記ポリマーとＣＯ2を一緒に注入して、その中でそれらに徹底的なせん断を回転カッティングブレード（ｃｕｔｔｉｎｇ  ｂｌａｄｅｓ）と固定カッティングブレードの組み合わせでかけて混合した。このミキサーには更に注入口が含まれており、そこを通して水を上記混合用チャンバの中に上記ポリマーとＣＯ2が最初にこの混合用チャンバ内で混ざり合う地点の下流地点に導入した。このミキサー内で少なくとも１組の追加的回転カッティングブレードと固定カッティングブレードを用いて更に上記ポリマーとＣＯ2と水を混合した後、そのポリマーとＣＯ2と水の混合物を上記ミキサーの混合用チャンバから連続的に排出させた。この排出させた混合物を、加熱した輸送ラインに通して直径が０．５から０．９ｍｍの丸いスピンオリフィスに送り込み、そのオリフィスから上記混合物をフラッシュ紡糸した。上記ミキサーに備わっている混合用チャンバ内に上記ポリマーが滞留する滞留時間は一般に７から２０秒であった。実施例１−２５および比較実施例１−１０で用いたミキサーは、１９９５年１０月２６日付けで提出した米国特許出願連続番号６０／００５，８７５により詳細に記述されている。
別法として、本発明の特定のブレンドしたポリマーのプレキシフィラメンタリー繊維を、Ａｎｄｅｒｓｏｎ他の米国特許第３，２２７，７９４号に一般的に記述されているように、ポリマーと溶媒が入っている溶液からフラッシュ紡糸した。以下に示す実施例に示す溶液フラッシュ紡糸で用いた装置は、以下の本実施例に簡単に記述しかつＳｈｉｎ他の米国特許第５，１４７，５８６号により詳細に記述されている実験室規模のバッチ式紡糸装置であった。商業的用途では本発明の特定のブレンドしたポリマーのプレキシフィラメントの溶液フラッシュ紡糸をＢｒｅｔｈａｕｅｒ他の米国特許第３，８５１，０２３号に開示されている装置を用いて行うことができるであろうと予測する。
本発明のプレキシフィラメンタリーポリエステルブレンドストランドの製造で用いるに特に有用なポリエステルポリマーはポリブチレンテレフタレート（４ＧＴポリエステル）である。本発明では低分子量４ＧＴポリエステルと高分子量４ＧＴポリエステルのブレンド物が特に有用であることを確認した。この低分子量４ＧＴポリエステルが加工性を向上させる一方で高分子量４ＧＴポリエステルがこの混合物から紡糸した繊維の強度を高める。本発明のプレキシフィラメンタリーストランド材料の製造で使用可能な他のポリエステルには、ポリエチレンテレフタレート（２ＧＴポリエステル）、ポリプロピレンテレフタレート（３ＧＴポリエステル）、再利用２ＧＴおよび４ＧＴポリエステル、ポリブチレンナフタレートおよびポリエチレンナフタレートが含まれる。本発明のプレキシフィラメンタリーストランドの紡糸で用いるポリマーブレンド物の成分として有用な追加的ポリマー類には、ポリエチレン、ポリプロピレン、ポリメチルペンテン、エチレンのコポリマー類、例えばエチレン酢酸ビニル（ＥＶＡ）、エチレンメタアクリル酸（ＥＭＭＡ）、エチレンアクリル酸メチル（ＥＭＡ）、エチレンアクリル酸（ＥＡＡ）など、およびアイオノマー類、ポリエステルエラストマーコポリマー類、ナイロン、ポリテトラフルオロエチレンコポリマー類、炭化水素ゴム、例えばエチレン／プロピレン／ヘキサジエンのコポリマー類など、ポリアクリロニトリル（ＰＡＮ）、ポリグルコサミン、およびそれらの組み合わせが含まれる。このブレンドしたポリマーのプレキシフィラメンタリーストランドにまた所望の非ポリマー添加剤、例えばカラー顔料、難燃剤または活性炭などを含めることも可能である。
この紡糸用混合物に任意に界面活性剤を含めてもよい。例えばエチレンとビニルアルコールのコポリマーは、ポリマー層と他の層の間の界面張力を下げることで、機械的に生じさせた分散液からフラッシュ紡糸するポリマーの加工性を向上させることを確認した。このエチレンとビニルのコポリマーは、フラッシュ紡糸後、繊維マトリックスの一成分になる。
図１−６は、ポリマーブレンド物で構成させたプレキシフィラメンタリーストランドの透過電子顕微鏡写真である。ＪＥＯＬ  ２０００ＦＸ  ＴＥＭ電子顕微鏡を８０から１２０ＫＶの加速電圧で操作することで電子顕微鏡写真を得て、それをシートフィルム上に記録した。この示す材料を細分する前に、それに液状のエポキシ混合物を真空下で含浸させて６０℃で一晩硬化させた。この埋め込んだ試験片をダイアモンドナイフを用いたクリオウルトラミクロトミー（ｃｒｙｏｕｌｔｒａｍｉｃｒｏｔｏｍｙ）でスライスして名目上の厚みが９０ｎｍの断片を得た。この断片を１％のホスホタングステン酸（「ＰＴＡ」）水溶液でか或は四酸化ルテニウム蒸気で染色した。図１、２、４および６に示すサンプルでは各々を１％のホスホタングステン酸で染色し、それによってナイロンおよびエチレンとビニルアルコールのコポリマーが暗色になった。図３および５に示すサンプルでは各々を四酸化ルテニウム蒸気で染色し、それによってポリエステルが暗色になった。図１−６は、プレキシフィラメンタリー繊維ストランドを構成するポリマーが互いに独立して如何に均一に互いに密に混ざり合っているかを示している。
図１に示すプレキシフィラメンタリーストランドはポリブチレンテレフタレートを９０％、高密度ポリエチレンを９％およびエチレンとビニルアルコールのコポリマーを１％含み、これを実施例１８により詳細に記述する。図１ではサンプを５４，６００倍の倍率で示す。この顕微鏡写真において、明るい灰色の部分１２はポリエチレンおよび／またはポリブチレンテレフタレート（４ＧＴポリエステル）であり、黒色斑点１３はエチレンとビニルアルコールのコポリマーであり、暗い灰色部分１１は細分で添加したエポキシであり、そして明るい部分１０は穴である。
図２に示すプレキシフィラメンタリーストランドは高密度ポリエチレンを９０％およびエチレンとビニルアルコールのコポリマーを１０％含み、これを比較実施例６により詳細に記述する。図２ではサンプルを２６，０００倍の倍率で示す。この顕微鏡写真において、明るい灰色の部分１６はポリエチレンであり、黒色斑点１７はエチレンとビニルアルコールのコポリマーであり、そしてより暗い灰色部分１８は細分で添加したエポキシである。
図３および４の両方に示すプレキシフィラメンタリーストランドはポリブチレンテレフタレートを６３％、ポリエステルエラストマーブロックコポリマーを１２％、高密度ポリエチレンを１６％、ポリプロピレンを８％およびエチレンとビニルアルコールのコポリマーを１％含み、これを実施例６により詳細に記述する。図３および４では各サンプルを３３，８００倍の倍率で示す。図３に示すサンプルは四酸化ルテニウム蒸気で染色したサンプルで、ポリエステルが強調される一方、図４に示すサンプルは１％のホスホタングステン酸で染色したもので、エチレンとビニルアルコールのコポリマーが強調される。図３の顕微鏡写真において、暗い部分２２はポリブチレンテレフタレート（４ＧＴポリエステル）およびポリエステルエラストマーであり、小さい明色部分２１はポリオレフィンであり、明るい灰色部分２３は細分で添加したエポキシである。図４の顕微鏡写真において、明るい部分２５は４ＧＴポリエステルおよびポリオレフィンであり、暗い斑点２６はポリエステルエラストマーおよびエチレンとビニルアルコールのコポリマーであり、そして明るい灰色部分２７は細分で添加したエポキシである。
図５および６に示すプレキシフィラメンタリーストランドはポリブチレンテレフタレートを４５％、ポリエステルエラストマーブロックコポリマーを１３％、高密度ポリエチレンを１９％、ポリプロピレンを１９％、エチレンとビニルアルコールのコポリマーを１％およびナイロン６，６を３％含み、これを実施例２により詳細に記述する。図５ではサンプルを６５，０００倍の倍率で示す一方、図６ではサンプルを２２，１００倍の倍率で示す。図５に示すサンプルは四酸化ルテニウム蒸気で染色したサンプルで、ポリエステルが強調される一方、図６に示すサンプルは１％のホスホタングステン酸で染色したもので、エチレンとビニルアルコールのコポリマーおよびポリエステルエラストマーが強調される。図５の顕微鏡写真において、斑紋状の灰色部分３２はポリブチレンテレフタレート（４ＧＴポリエステル）およびポリエステルエラストマーであり、小さい明色部分３１はポリオレフィンであり、非常に小さい暗色部分３４はナイロンであり、そして明るい灰色部分３３は細分で添加したエポキシである。図６の顕微鏡写真において、明るい部分３６は４ＧＴポリエステルおよびポリオレフィン（明るい斑紋状部分３５は恐らく主にポリオレフィンであろう）であり、暗い斑点３７はエチレンとビニルアルコールのコポリマーおよびナイロンであり、そして大きな明るい灰色部分は細分で添加したエポキシである。
実施例
実施例１−２５および比較実施例１−１０の試験装置
本発明を説明するもので決して本発明を制限しないことを意図する下記の非制限実施例では、この上に記述した如き連続回転ミキサーを用いた。ポリマーが最初にＣＯ2可塑化剤（ｐｌａｓｔｉｃｉｚｉｎｇ  ａｇｅｎｔ）に接触する地点とミキサー出口の間に位置する混合用チャンバ（上記ミキサーに備わっている）の容積は４９５ｃｍ3であった。上記ミキサーは４１，０００ｋＰａの作動圧力に耐える等級のものであった。このミキサーを７から１０ｋＷの電力を用いて約１２００ｒｐｍの回転速度で運転した。ポリマースクリュー押出し加工機（ｐｏｌｙｍｅｒ  ｓｃｒｅｗ  ｅｘｔｒｕｄｅｒ）とギアポンプでポリマーを上記ミキサーに注入した。二重作動（ｄｏｕｂｌｅ  ａｃｔｉｎｇ）ピストンポンプを用いて上記ミキサーに超臨界ＣＯ2可塑化剤を加圧貯蔵タンクから注入しかつ蒸留水を密封貯蔵タンクから注入した。上記ミキサー内でポリマーと超臨界ＣＯ2と水の分散液を生じさせてスピンオリフィスに通してフラッシュ紡糸し、大気圧および室温に維持されているゾーンの中に入れた。特に明記しない限り、紡糸温度は約２４０℃で紡糸圧力は約２８，９００ｋＰａであった。このスピン生成物を動いているベルト上で集め、それからサンプルを取り出して実験および試験を行った。
実施例２６−３４の試験装置
実施例２６−３４で用いる装置は、米国特許第５，１４７，５８６号に記述されている紡糸装置である。この装置には筒状の高圧チャンバが２つ含まれていて、その各々に、圧力を上記チャンバの内容物にかけるに適したピストンが備わっている。この筒状物の内径は１．０インチ（２．５４ｃｍ）であり、各々の内部容量は５０立方センチメートルである。上記筒状物は互いにそれの一末端の所で直径が３／３２インチ（０．２３ｃｍ）の通路と混合用チャンバ（これにはスタティックミキサーとして働く一組の微細なメッシュスクリーンが入っている）で連結している。この容器の内容物を上記スタティックミキサーに通して上記２つの筒状物の間を強制的に往復させることで混合を達成する。オリフィスを開けるように迅速に作動する手段が備わっている紡糸口金アセンブリがＴ字管を通して上記通路に取り付けられている。この紡糸口金アセンブリには直径が０．２５インチ（０．６３ｃｍ）で長さが約２．０インチ（５．０８ｃｍ）のリード穴と長さｘ直径が３０ｘ３０ミル（０．７６ｘ０．７６ｍｍ）の紡糸口金オリフィスが含まれている。水力系で供給する高圧水でピストンを駆動させる。
実施例２６−３４に報告する試験では、この上に記述した装置にポリマーブレンド物のペレットと溶媒を仕込んだ。高圧水を用いて上記ピストンを駆動させることで１５００から３０００ｐｓｉ（１０，３４０−１０，６８０ｋＰａ）の混合用圧力を生じさせた。次に、上記ポリマーと溶媒を混合用温度に加熱してその温度に約１時間保持しながら、この期間中、上記ピストンを用いて、上記ポリマーと溶媒が上記混合用通路を通って一方の筒状物からもう一方の筒状物に強制的に繰り返し送り込まれるように上記２つの筒状物の間に約５０ｐｓｉ（３４５ｋＰａ）の差圧を交互に確立することで混合を起こさせて、スピン混合物を生じさせる。次に、混合を継続しながら、上記スピン混合物の温度を最終スピン温度にまで上昇させて、その状態に約１５分間保持することで、温度を平衡状態にする。圧力レットダウンチャンバを模擬する目的で、紡糸直前に上記スピン混合物の圧力を所望の紡糸圧力にまで低下させた。所望の紡糸圧力に保持されている高圧水が入っているずっと大型のタンク（「アキュムレータ」）とスピンセル（ｓｐｉｎ  ｃｅｌｌ）の間に位置するバルブを開けることで、それを達成した。上記スピンセルとアキュムレータの間に位置するバルブを開けて約１から５秒後に紡糸口金のオリフィスを開ける。この期間はほぼ商業的紡糸装置のレットダウンチャンバ内の滞留時間に相当する。その結果としてフラッシュ紡糸された製品をステンレス鋼製のオープンメッシュスクリーンバスケット（ｏｐｅｎ  ｍｅｓｈ  ｓｃｒｅｅｎ  ｂａｓｋｅｔ）内に集める。紡糸口金の直ぐ前の圧力を紡糸中にコンピューターで記録して、それをスピン圧力として記入する。
スピン生成物の試験手順
上記ＳＩシステムの装置で本来得たデータでない試験データに関しては、それらをＳＩ単位に変換しておいた。
ストランドのデニールを、このストランドの長さが１５ｃｍのサンプルの重量から測定する。
フラッシュ紡糸ストランドのじん性、伸びおよび粘り強さをＩｎｓｔｒｏｎ引張り試験機で測定する。ストランドを６５％相対湿度下７０度Ｆで条件付けして試験を行った。次に、このストランドを１インチ当たり１０捩りで撚って、Ｉｎｓｔｒｏｎ試験機のジャーに取り付けた。２インチのゲージ長を用いて初期の伸び速度を１分当たり４インチにした。
破壊時のじん性を１デニール当たりのグラム（ｇｐｄ）で記録する。破壊時の伸びをサンプルの２インチゲージ長のパーセントとして記録する。粘り強さは、サンプルの破断に要する仕事量をサンプルのデニールで割った値であり、これをｇｐｄで記録する。引張り応力は、応力／歪み曲線の傾きに相当し、これをｇｐｄ単位で表す。
実施例１−２５および比較実施例１−１４では、繊維の品質を０から３の主観的スケールで評価し、３が最高の品質等級である。評価手順では、長さが１０インチのプレキシフィラメンタリーストランドを繊維バット（ｂａｔｔ）から取り出す。そのウエブを広げて暗色背景の上に置く。繊維品質の等級は３種類の主観的等級の平均であり、一つの等級は繊維の繊度に関する等級であり（繊維が細ければ細いほど高い等級を受ける）、一つの等級は繊維ストランドが連続的であることに関する等級であり（プレキシフィラメンタリーストランドが連続的であればあるほど高い等級を受ける）、そしてもう一つは結合の頻度に関する等級である（プレキシフィラメンタリーストランドの網状度合が高ければ高いほど高い等級を受ける）。
繊維の繊度を、１９９４年１２月６日付けでＡ．Ｇａｎｅｓｈ  Ｖａｉｄｙａｎａｔｈａｎに与えられた米国特許第５，３７１，８１０号（これは引用することによって本明細書に組み入れられる）に開示されている技術と同様な技術を用いて測定する。この技術では、繊維のウエブに入っているフィブリルのサイズを定量的に分析する。上記ウエブを手で開け広げて、顕微鏡レンズで画像を撮る。次に、この画像をデジタル化してコンピューターで分析することで平均フィブリル幅と標準偏差を測定する。しかしながら、ある種の細かいフィブリルは一緒になって非常に密な束になっていて非常に短いフィブリル長を有する可能性があることから、そのようなフィブリルを大きなフィブリルの一部として見なして、それをそのまま計算する。フィブリルが密な束になっていてフィブリル長（結合点から結合点への距離）が短いと、束になっているフィブリルの個々のフィブリルの繊度分析を有効に行うことが不可能になる。従って、プレキシフィラメンタリーストランドの繊維の記述または特徴付けでは用語「見掛けフィブリルサイズ」を用いる。
プレキシフィラメンタリーフィルム−フィブリルストランド製品の表面積は、フラッシュ紡糸製品のフィブリル形成度および繊度を示す別の尺度である。表面積をS.Brunauer,P.H.Emmett及びE.Teller,J.Am.Chem.Soc.,60巻309-319頁（1938）のＢＥＴ窒素吸着方法で測定して、ｍ2／ｇで報告する。
材料
以下に示す非制限実施例では下記の材料を用いた。本実施例に示すパーセントは特に明記しない限り重量である。本実施例では各材料にコード番号を割り当てて、それらをコード番号で示す。
以下に示す実施例で用いる１つの４ＧＴポリエステルは、デュポン（Ｗｉｌｍｉｎｇｔｏｎ、Ｄｅｌａｗａｒｅ）から入手したＣＲＡＳＴＩＮ（商標）６１３１であった。ＣＲＡＳＴＩＮ（商標）はデュポンの登録商標である。ＣＲＡＳＴＩＮ（商標）６１３１は以前は名称ＲＹＮＩＴＥ（商標）６１３１で販売されていた。ＣＲＡＳＴＩＮ（商標）６１３１は補強されていない低分子量の４ＧＴポリエステルである。ＣＲＡＳＴＩＮ（商標）６１３１が２．１６ｋｇの重りを用いた標準的な技術で２５０℃の温度の時に示すメルトフロー率は４２ｇ／１０分であり、それの融点は２２５℃である（「４ＧＴ−６１３１」）。
以下に示す実施例で用いるもう１つの４ＧＴポリエステルは、デュポン（Ｗｉｌｍｉｎｇｔｏｎ、Ｄｅｌａｗａｒｅ）から入手したＣＲＡＳＴＩＮ（商標）６１３０であった。ＣＲＡＳＴＩＮ（商標）６１３０は、ＣＲＡＳＴＩＮ（商標）６１３１よりも高い分子量を有する非補強４ＧＴポリエステルである。ＣＲＡＳＴＩＮ（商標）６１３０が２．１６ｋｇの重りを用いた標準的な技術で２５０℃の温度の時に示すメルトフロー率は１２．５ｇ／１０分であり、それの融点は２２５℃である（「４ＧＴ−６１３０」）。
以下に示す実施例で用いるもう１つの４ＧＴポリエステルは、デュポン（Ｗｉｌｍｉｎｇｔｏｎ、Ｄｅｌａｗａｒｅ）から入手したＣＲＡＳＴＩＮ（商標）６１２９であった。ＣＲＡＳＴＩＮ（商標）６１２９は、ＣＲＡＳＴＩＮ（商標）６１３０よりも若干高い分子量を有する４ＧＴポリエステルである。ＣＲＡＳＴＩＮ（商標）６１２９が２．１６ｋｇの重りを用いた標準的な技術で２５０℃の温度の時に示すメルトフロー率は９ｇ／１０分であり、それの融点は２２５℃である（「４ＧＴ−６１２９」）。
下記の実施例で用いるポリプロピレンは、Ｈｉｍｏｎｔ  Ｃｏｒｐｏｒａｔｉｏｎ（Ｗｉｌｍｉｎｇｔｏｎ、Ｄｅｌａｗａｒｅ）から入手したＶａｌｔｅｃ  ＨＨ４４４であった。Ｖａｌｔｅｃ  ＨＨ４４４が２．１６ｋｇの重りを用いた標準的な技術で１９０℃の温度の時に示すメルトフロー率は７０ｇ／１０分であり、それの融点は１７０℃である（「ＰＰ」）。
以下に示す実施例で用いるポリエステルエラストマーは、Ｅ．Ｉ．ｄｕ  Ｐｏｎｔ  ｄｅ  Ｎｅｍｏｕｒｓ  ａｎｄ  Ｃｏ．（Ｗｉｌｍｉｎｇｔｏｎ、Ｄｅｌａｗａｒｅ）から入手した溶融紡糸可能ブロックコポリマーであるＨＹＴＲＥＬ（商標）６１３３であった。ＨＹＴＲＥＬ（商標）はデュポンの登録商標である。ＨＹＴＲＥＬ（商標）はポリエーテルエステルブロックコポリマーであり、これが２．１６ｋｇの重りを用いた標準的な技術で１９０℃の温度の時に示すメルトフロー率は５．０ｇ／１０分であり、それの融点は１７０−１９０℃の範囲である（「ＰＥＬ」）。
以下に示す実施例で用いる２ＧＴポリエステルはＮＵＰＥＴ（商標）（高密度化ペレット）である。ＮＵＰＥＴ（商標）はデュポン（Ｗｉｌｍｉｎｇｔｏｎ、Ｄｅｌａｗａｒｅ）から入手した１００％再利用ポリエチレンテレフタレートである。ＮＵＰＥＴ（商標）はデュポンの登録商標である。ＮＵＰＥＴ（商標）が２８０℃で示す粘度は２３０パスカル秒であり、それの融点は２５２℃である（「２ＧＴ」）。
実施例２６−２９で用いる２ＧＴポリエステルは１．０のインヘレント粘度を示す高分子量のポリ（エチレンテレフタレート）であり、これは市販グレードの２ＧＴを固相重合させることで作られたものである（「２ＧＴ＊」）。
下記の実施例で用いるポリエチレンは、Ｏｃｃｉｄｅｎｔａｌ  Ｃｈｅｍｉｃａｌ  Ｃｏｒｐｏｒａｔｉｏｎ（ヒューストン、テキサス州）およびそれの権利継承者であるＬｙｏｎｄｅｌｌ  Ｐｅｔｒｏｃｈｅｍｉｃａｌ  Ｃｏｍｐａｎｙ（ヒューストン、テキサス州）から入手した高密度ポリエチレンであるＡＬＡＴＨＯＮ（商標）Ｈ６０１８であった。ＡＬＡＴＨＯＮ（商標）は現在はＬｙｏｎｄｅｌｌ  Ｐｅｔｒｏｃｈｅｍｉｃａｌ  Ｃｏｍｐａｎｙの登録商標である。ＡＬＡＴＨＯＮ（商標）Ｈ６０１８が２．１６ｋｇの重りを用いた標準的な技術で１９０℃の温度の時に示すメルトフロー率は１８ｇ／１０分であり、それの融点は１３０−１３５℃である（「ＰＥ」）。
実施例２６−３４で用いるポリエチレンは、メルトインデックスが０．７５で密度が０．９５７ｇ／ｃｃで数平均分子量が２７，０００で重量平均分子量が１２０，０００の高密度ポリエチレン（ＨＤＰＥ）であった（「ＨＤＰＥ」）。
以下に示す実施例で用いる部分中和エチレンビニルアルコールコポリマーは、Ｅ．Ｉ．ｄｕ  Ｐｏｎｔ  ｄｅ  Ｎｅｍｏｕｒｓ  ａｎｄ  Ｃｏ．（Ｗｉｌｍｉｎｇｔｏｎ、Ｄｅｌａｗａｒｅ）から入手したＳＥＬＡＲ（商標）ＯＨ  ＢＸ２４０であった。ＳＥＬＡＲ（商標）はデュポンの登録商標である。ＳＥＬＡＲ（商標）ＯＨ  ＢＸ２４０は、ＳＥＬＡＲ（商標）ＯＨ  ４４１６を９０％とＦＵＳＡＢＯＮＤ（商標）Ｅ  ＭＢ−２５９Ｄを１０％含む［両方のポリマーともデュポン（Ｗｉｌｍｉｎｇｔｏｎ、Ｄｅｌａｗａｒｅ）から入手］ように溶融ブレンドしてペレット状にしたポリマーである。ＳＥＬＡＲ（商標）ＯＨ  ４４１６はエチレン単位を４４モル％含有するエチレンとビニルアルコールのコポリマーであり、これが２．１６ｋｇの重りを用いた標準的な技術で２１０℃の温度の時に示すメルトフロー率は１６．０ｇ／１０分であり、それの融点は１６８℃である。ＦＵＳＡＢＯＮＤ（商標）Ｅ  ＭＢ−２５９Ｄは、無水マレイン酸が０．２−０．３％グラフト化しているポリエチレンであり、それが２．１６ｋｇの重りを用いた標準的な技術で１９０℃の温度の時に示すメルトフロー率は２０−２５ｇ／１０分であり、それの融点は１２０−１２２℃である。ＦＵＳＡＢＯＮＤ（商標）はデュポンの商標である（「ＥＶＯＨ」）。
以下に示す実施例で用いるエチレンとメタアクリル酸のコポリマーはデュポン（Ｗｉｌｍｉｎｇｔｏｎ、Ｄｅｌａｗａｒｅ）から入手したＳＵＲＬＹＮ（商標）１７０２であった。ＳＵＲＬＹＮ（商標）はデュポンの登録商標である。ＳＵＲＬＹＮ（商標）１７０２が２．１６ｋｇの重りを用いた標準的な技術で１９０℃の温度の時に示すメルトフロー率は１４．０ｇ／１０分であり、それの融点は８９℃である（「Ｓｕｒｌｙｎ」）。
以下に示す実施例で用いるナイロン６は、Ａｌｌｉｅｄ−Ｓｉｇｎａｌ  Ｉｎｃ．（Ｍｏｒｒｉｓｔｏｗｎ、ニュージャージー州）から入手したＣＡＰＲＯＮ（商標）８２０２Ｃであった。ＣＡＰＲＯＮ（商標）はＡｌｌｉｅｄ−Ｓｉｇｎａｌ  Ｉｎｃ．の登録商標である。ＣＡＰＲＯＮ（商標）８２０２Ｃは射出成形で通常用いられる低粘度で高結晶度のナイロン６である。ＣＡＰＲＯＮ（商標）８２０２Ｃの比重は１．１３ｇ／ｃｃで融点は２１５℃である（「Ｎｙｌｏｎ」）。
以下に示す実施例で用いる共押出し加工可能エチレン酢酸ビニル接着剤ポリマーはデュポン（Ｗｉｌｍｉｎｇｔｏｎ、Ｄｅｌａｗａｒｅ）から入手したＢＹＮＥＬ（商標）３１０１であった。ＢＹＮＥＬ（商標）はデュポンの登録商標である。ＢＹＮＥＬ（商標）３１０１が２．１６ｋｇの重りを用いた標準的な技術で１９０℃の温度の時に示すメルトフロー率は３．５ｇ／１０分であり、それの融点は８７℃である（「Ｂｙｎｅｌ」）。
実施例２９および３２−３４で用いるエチレンアクリル酸メチルはＥｘｘｏｎ  Ｃｈｅｍｉｃａｌ  Ｃｏｍｐａｎｙから入手したＯＰＴＩＭＡ  ＴＣ１１０であり、これが示すメルトインデックスは２．０で、アクリル酸メチルの含有量は２１．５重量パーセントで密度は０．９４２ｇ／ｃｃで、融点は７５℃である（「ＥＭＡ」）。
以下に示す実施例で用いるポリブチレンナフタレートポリエステルポリマーは帝人株式会社（東京）から入手した非市販品であった。このポリブチレンテレフタレートが示す固有粘度は０．７６で融点は２４５℃であった（「ＰＢＮ」）。
以下に示す実施例で用いるポリエチレンナフタレートポリエステルポリマーはＳｈｅｌｌ  Ｃｈｅｍｉｃａｌ  Ｃｏｍｐａｎｙ（Ａｋｒｏｎ、オハイオ州）から入手したＨｉＰＥＲＴＵＦ（商標）３５０００であった。ＨｉＰＥＲＴＵＦ（商標）はＳｈｅｌｌ  ＣｈｅｍｉＣａｌ  Ｃｏｍｐａｎｙの商標である。ＨｉＰＥＲＴＵＦ（商標）３５０００ポリエステル樹脂はポリエチレンナフタレート樹脂を基とする２，６ジメチルナフタレートである。これは２９５℃で約３５０パスカル秒の粘度を示しそして２６６−２７０℃の範囲の融点を有する低分子量のポリマーである。
以下に示す実施例で用いるポリグルコサミンはＶａｎｓｏｎ，Ｌ．Ｐ．（Ｒｅｄｍｏｎｄ、ワシントン州）から入手したＣｈｉｔｏｓａｎ  ＶＮＳ−５８９であった。Ｃｈｉｔｏｓａｎは甲殻類の殻から作られる天然に存在するポリマーである。Ｃｈｉｔｏｓａｎは、セルロース分子が有するヒドロキシル基の１つがアミノ基に置き換わっている以外はセルロースに類似した化学構造を有する（「Ｃｈｉｔｏｓａｎ」）。
以下に示す実施例で用いる難燃添加剤は、Ａｌｂｒｉｇｈｔ  ａｎｄ  Ｗｉｌｓｏｎ  Ａｍｅｒｉｃａｓ（リッチモンド、バージニア州）から入手したＡＮＴＩＢＬＡＺＥ（商標）１０４５難燃剤であった。ＡＮＴＩＢＬＡＺＥ（商標）１０４５はＡｌｂｒｉｇｈｔ  ＆  Ｗｉｌｓｏｎ  Ａｍｅｒｉｃａｓの登録商標である。ＡＮＴＩＢＬＡＺＥ（商標）１０４５はガラス様液体として販売されている燐を基とする製品である。ＡＮＴＩＢＬＡＺＥ（商標）１０４５が２５℃で示す密度は１．２６ｇ／ｃｃで、１３０℃で示す粘度は１８０ｃｐである（「Ｆｉｒｅ  Ｒｅｔａｒｄａｎｔ」）。
以下に示す実施例で用いる活性炭添加剤は、Ｃａｌｇｏｎ  Ｃａｒｂｏｎ  Ｃｏｒｐｏｒａｔｉｏｎ（ピッツバーグ、ペンシルベニア州）から入手したＰＣＢ−Ｇココナッツを基とする活性炭であった。ＰＣＢ−Ｇ活性炭は粉末であり、それの９０％が０．０４４メッシュスクリーンを通過する。ＰＣＢ−Ｇ活性炭の表面積は１１５０から１２５０ｍ2／ｇである（「Ａｃｔｉｖａｔｅｄ  Ｃａｒｂｏｎ」）。
以下に示す実施例で用いる１つのカラー添加剤はＡｍｐａｃｅｔ  Ｃｏｒｐｏｒａｔｉｏｎ（Ｔｅｒｒｅ  Ｈａｕｔｅ、インディアナ州）から入手したＬＲ−８５５４８  ＢＬＵＥ  ＬＬＤＰＥ  ＭＢであった。ＬＲ−８５５４８  ＢＬＵＥ  ＬＬＤＰＥ  ＭＢは、線状低密度ポリエチレン殻の中に青色の濃縮物が封じ込められている物であり、これはペレット形態で販売されている（「ＢＬＵＥ］）。
以下に示す実施例で用いるもう１つのカラー添加剤はＡｍｐａｃｅｔ  Ｃｏｒｐｏｒａｔｉｏｎ（Ｔｅｒｒｅ  Ｈａｕｔｅ、インディアナ州）から入手したＬＤ−９０５２６  ＢＬＡＺＥ  ＯＲＡＮＧＥ  ＰＥ  ＭＢであった。ＬＤ−９０５２６  ＢＬＡＺＥ  ＯＲＡＮＧＥ  ＰＥ  ＭＢは、線状低密度ポリエチレン殻の中にオレンジ色の濃縮物が封じ込められている物であり、これはペレット形態で販売されている（「ＯＲＡＮＧＥ］）。
以下に示す実施例の多くで用いた熱安定剤はＧＥ  Ｓｐｅｃｉａｌｔｙ  Ｃｈｅｍｉｃａｌｓが名称Ｗｅｓｔｏｎ  ６１９Ｆの下で販売しているジステアリルペンタエリスリトールジホスファイトであった（「ＷＥＳＴＯＮ」）。
実施例１
以下に示すポリマーブレンド物をこの上に記述したように連続ミキサーに逐次的に注入してＣＯ2および水と一緒に混合した。各ブレンドで上記ミキサーに入れるポリマー／ＣＯ2比を１．２５にしそして上記ミキサーに入れるポリマー／水の比率を２．８６にした。次に、約１５分かけて、上記試験混合物の各々を０．８８９ｍｍの紡糸用オリフィスからフラッシュ紡糸した。各試験でポリマー材料およびそれらの互いの比率を変えた。ＣＯ2に対するポリマー全体の比率および水に対するポリマー全体の比率を試験全体に渡って一定に保持した。
混合段階で用いた材料比および生成物の特性を以下の表１に示す。
0003953107.tif 000002
0003953107.tif 000003
実施例２
４ＧＴ−６１３１が３０％で４ＧＴ−６１３０が１５％でＰＥＬが１３％でＰＥが１９％でＰＰが１９％でＥＶＯＨが１％でＮｙｌｏｎ  ６が３％の溶融ブレンド物をこの上に記述したように連続ミキサーに注入してＣＯ2および水と一緒に混合した。このミキサーに入れるポリマー／ＣＯ2比を２．８６にし、そしてこのミキサーに入れるポリマー／水の比率を１．２５にした。次に、約１５分かけて、上記混合物を０．８８９ｍｍの紡糸用オリフィスからフラッシュ紡糸した。この得たプレキシフィラメンタリー繊維ストランドは２．２ｇｐｄのじん性、６１．５％の伸び、０．８ｇｐｄの粘り強さ、および２．２５の繊維品質等級を示した。この繊維は１３．３ミクロンの幅中央値および３６．０ミクロンの平均幅を有し、標準偏差は６６．５ミクロンであり、そして６．１ｍ2／ｇの表面積を有していた。
実施例３
４ＧＴ−６１３１が６０％で４ＧＴ−６１３０が３０％でＰＥが９％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．３ｇｐｄのじん性、４３％の伸び、０．６ｇｐｄの粘り強さ、および２．３の繊維品質等級を示した。
実施例４
４ＧＴ−６１３１が１８％で４ＧＴ−６１３０が４５％でＰＥＬが１２％でＰＥが１６％でＰＰが８％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．９ｇｐｄのじん性、３７％の伸び、０．６ｇｐｄの粘り強さ、および２．５の繊維品質等級を示した。この繊維は１４．４ミクロンの幅中央値および３５．７ミクロンの平均幅を有し、標準偏差は６１．８ミクロンであり、そして６．６ｍ2／ｇの表面積を有していた。
実施例５
４ＧＴ−６１３１が１８％で４ＧＴ−６１３０が３０％で４ＧＴ−６１２９が１５％でＰＥＬが１２％でＰＥが１６％でＰＰが８％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．４ｇｐｄのじん性、４８％の伸び、０．７ｇｐｄの粘り強さ、および２．５の繊維品質等級を示した。
実施例６
４ＧＴ−６１３０が６３％でＰＥＬが１２％でＰＥが１６％でＰＰが８％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．５ｇｐｄのじん性、３８％の伸び、０．６ｇｐｄの粘り強さ、および２．７の繊維品質等級を示した。この繊維は１２．２ミクロンの幅中央値および３２．３ミクロンの平均幅を有し、標準偏差は５３．６ミクロンであり、そして６．０ｍ2／ｇの表面積を有していた。
実施例７
４ＧＴ−６１３１が５１％で４ＧＴ−６１３０が１６％でＰＥＬが１０％でＰＥが１２％でＰＰが１０％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．７８７ｍｍの紡糸用オリフィスからフラッシュ紡糸した。この得たプレキシフィラメンタリー繊維ストランドは２．８ｇｐｄのじん性、６２％の伸び、１．０ｇｐｄの粘り強さ、および２．２の繊維品質等級を示した。
実施例８
４ＧＴ−６１３１が５０％で４ＧＴ−６１３０が３５％でＰＥＬが５％でＰＰが１０％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．６ｇｐｄのじん性、３７％の伸び、０．６ｇｐｄの粘り強さ、および２．５の繊維品質等級を示した。
実施例９
４ＧＴ−６１３１が２０％で４ＧＴ−６１３０が１５％でＰＥＬが５％でＰＰが１０％で２ＧＴが５０％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは１．３ｇｐｄのじん性、５４％の伸び、０．５ｇｐｄの粘り強さ、および１．８の繊維品質等級を示した。この繊維は１４．３６ミクロンの幅中央値および３４．７ミクロンの平均幅を有し、標準偏差は５０．８ミクロンであり、そして５．１ｍ2／ｇの表面積を有していた。
実施例１０
４ＧＴ−６１３１が３５％で４ＧＴ−６１３０が１５％でＰＥＬが５％でＰＰが１０％で２ＧＴが３５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは１．９ｇｐｄのじん性、４５％の伸び、０．４５ｇｐｄの粘り強さ、および１．８の繊維品質等級を示した。このサンプルは１６．６３ミクロンの平均見掛けフィブリルサイズを有していた。
実施例１１（参考例）
ＰＥＬが４％でＰＥが８２％でＰＰが９％でＥＶＯＨが５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約２００℃の紡糸温度で約１５分かけて、上記混合物を０．８８９ｍｍの紡糸用オリフィスからフラッシュ紡糸した。この得たプレキシフィラメンタリー繊維ストランドは０．８ｇｐｄのじん性、８９％の伸び、０．５ｇｐｄの粘り強さ、および２．５の繊維品質等級を示した。
実施例１２（参考例）
ＰＥＬが５％でＰＰが１０％でＮｙｌｏｎ  ６が８５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは０．３ｇｐｄのじん性、３２％の伸び、０．７ｇｐｄの粘り強さ、および０．５の繊維品質等級を示した。
実施例１３（参考例）
ＥＶＯＨが１０％でＰＥが８８％でＳＵＲＬＹＮが２％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、２００℃の紡糸温度で約１５分かけて、上記混合物を０．８８９ｍｍの紡糸用オリフィスからフラッシュ紡糸した。この得たプレキシフィラメンタリー繊維ストランドは１．３ｇｐｄのじん性、５０％の伸び、０．４ｇｐｄの粘り強さ、および２．２の繊維品質等級を示した。
実施例１４（参考例）
ＰＥが８５．５％でＥＶＯＨが９．５％でＢＹＮＥＬが５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を１．７９にした。次に、約１５分かけて、上記混合物を０．７８７４ｍｍの紡糸用オリフィスからフラッシュ紡糸した。この得たプレキシフィラメンタリー繊維ストランドは０．８ｇｐｄのじん性、および１．０の繊維品質等級を示した。
実施例１５
４ＧＴ−６１３１が５０％で３ＧＴが２５％でＰＥＬが２５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマーと水の比率を２．８６にした。次に、約１５分かけて、上記混合物を０．７８７ｍｍの紡糸用オリフィスからフラッシュ紡糸した。この得たプレキシフィラメンタリー繊維ストランドは１．０４のじん性、５８％の伸び、０．３ｇｐｄの粘り強さ、２．０ｍ2／ｇの表面積および２．３の繊維品質等級を示した。この繊維は１２．２ミクロンの幅中央値および２９．１ミクロンの平均幅を有し、標準偏差は４２．２ミクロンであり、そして２．０ｍ2／ｇの表面積を有していた。
実施例１６（参考例）
ＰＢＮが８５％でＰＥＬが５％でＰＰが１０％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリーストランドは２．５ｇｐｄのじん性、２３％の伸び、０．３ｇｐｄの粘り強さ、および２．５の繊維品質等級を示した。
実施例１７
４ＧＴ−６１３１が１６．２％で４ＧＴ−６１３０が４０．５％でＰＥＮが１０％でＰＥが１４．４％でＰＥＬが１０．８％でＰＰが７．２％でＥＶＯＨが０．９％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリ繊維ストランドは２．４ｇｐｄのじん性、４１％の伸び、０．６ｇｐｄの粘り強さ、および２．５の繊維品質等級を示した。
実施例１８
４ＧＴ−６１３１が９０％でＰＥが９％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．７８７ｍｍの紡糸用オリフィスからフラッシュ紡糸した。この得たプレキシフィラメンタリー繊維ストランドは１．６ｇｐｄのじん性、１７．６ｍ2／ｇの表面積、０．２４の粘り強さ、および２．７の繊維品質等級を示した。このストランドの断片を５４，６００倍の倍率で撮った光顕微鏡写真を図１に示す。
実施例１９
４ＧＴ−６１３１が４５％で４ＧＴ−６１３０が１８％でＰＥが１６％でＰＥＬが１２％でＰＰが８％でＥＶＯＨが１％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．７８７ｍｍの紡糸用オリフィスからフラッシュ紡糸した。この得たプレキシフィラメンタリー繊維ストランドは２．２ｇｐｄのじん性、８．５ｍ2／ｇの表面積、０．６の粘り強さ、２１．７ミクロンの見掛け平均繊維サイズ、および２．０の繊維品質等級を示した。このサンプルに関して測定した見掛け繊維幅の分布図を図７に示し、ｘ軸に繊維幅（ミクロン）そしてｙ軸にカウント数（＃）を示す。
実施例２０
４ＧＴ−６１３１が１６．１８％で４ＧＴ−６１３０が４０．３５％で２ＧＴが９．９６％でＰＥが１４．３４％でＰＥＬが１０．７６％でＰＰが７．１７％でＥＶＯＨが０．８９％でＣｈｉｔｏｓａｎが０．３５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは２．４ｇｂｄのじん性、０．５の粘り強さ、３８％の伸び、および２．７の繊維品質等級を示した。
実施例２１
４ＧＴ−６１３１が２９％で２ＧＴが５０％でＰＥＬが１５％でＦｉｒｅ  Ｒｅｔａｒｄａｎｔが６％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を１．７９にした。次に、約１５分かけて、上記混合物を０．８８９ｍｍの紡糸用オリフィスからフラッシュ紡糸した。プレキシフィラメンタリー繊維ストランドは得られたが、それのじん性および粘り強さはあまりにも低くて測定不能であった。繊維品質等級は１．３であった。
実施例２２
４ＧＴ−６１３１が４７．８％で４ＧＴ−６１３０が３３．４％でＰＰが９．６％でＰＥＬが４．８％でＡｃｔｉｖａｔｅｄ  Ｃａｒｂｏｎが４．５％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは１．４ｇｐｄのじん性、２６％の伸び、０．２ｇｐｄの粘り強さ、および２．０の繊維品質等級を示した。この繊維は１５．４３ミクロンの幅中央値および４３．６３ミクロンの平均幅を有し、標準偏差は７９．５ミクロンであり、そして１２．９ｍ2／ｇの表面積を有していた。
実施例２３
４ＧＴ−６１３１が８１．６％でＰＰが９．６％でＰＥＬが４．８％でＢＬＵＥ顔料が４％の溶融ブレンド物をこの上に記述したように連続ミキサーに注入してＣＯ2および水と一緒に混合した。このミキサーに入れるポリマー／ＣＯ2比を０．８にし、そしてこのミキサーに入れるポリマー／水の比率を０．３５にした。次に、約１５分かけて、上記混合物を０．８８９ｍｍの紡糸用オリフィスからフラッシュ紡糸した。この得たプレキシフィラメンタリー繊維ストランドは２．１ｇｐｄのじん性、５３％の伸び、０．７ｇｐｄの粘り強さ、および２．０の繊維品質等級を示した。このプレキシフィラメンタリー繊維ストランドの色は光沢のある深オーシャンブルー色であった。
実施例２４
４ＧＴ−６１３１が８１．６％でＰＰが９．６％でＰＥＬが４．８％でＯＲＡＮＧＥ顔料が４％の溶融ブレンド物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは１．８ｇｐｄのじん性、６２％の伸び、０．６ｇｐｄの粘り強さ、および１．７の繊維品質等級を示した。このプレキシフィラメンタリー繊維ストランドの色は均一な中程度のオレンジ色であった。
実施例２５
以下に示すポリマーブレンド物をこの上に記述したように連続ミキサーに逐次的に注入してＣＯ2および水と一緒に混合した。各ブレンド物で、上記ミキサーに入れるポリマー／ＣＯ2比を１．２５にし、そしてこのミキサーに入れるポリマー／水の比率を２．８６にした。次に、約１５分かけて、試験混合物の各々を０．８８９ｍｍの紡糸用オリフィスからフラッシュ紡糸した。ポリマー材料およびそれらの互いの比率を各試験で変えた。ＣＯ2に対するポリマー全体の比率および水に対するポリマー全体の比率を試験全体を通して一定に保持した。
混合段階で用いた材料の比率および生成物の特性を以下の表２に挙げる。
0003953107.tif 000004
0003953107.tif 000005
実施例２６−３４
実施例２６−３４では、３種類以上のポリマー類から成るブレンド物を以下の表に挙げる条件下で溶媒に溶解させて混合した後、その溶液を以下の表に挙げる条件下でフラッシュ紡糸した。用いた溶媒は塩化メチレン（ＣＨ2Ｃｌ2）およびヒドロフルオロカーボンＨＦＣ−４３−１０ｍｅｅ（ＣＦ3ＣＨＦＣＨＦＣＦ2ＣＦ3）であった。各試験でスピン溶液にＷＥＳＴＯＮ熱安定剤を溶媒の０．１重量％に等しい量で含めた。各場合に得たプレキシフィラメンタリー繊維の特性を以下の表３に挙げる。
0003953107.tif 000006
比較実施例１
ＥＶＯＨが１００％のポリマー溶融物をこの上に記述したように連続ミキサーに注入してＣＯ2および水と一緒に混合した。このミキサーに入れるポリマー／ＣＯ2比を１．０にし、そしてこのミキサーに入れるポリマー／水の比率を２．８６にした。次に、約１５分かけて、上記混合物を０．７８７ｍｍの紡糸口金オリフィスからフラッシュ紡糸した。この得たプレキシフィラメンタリー繊維ストランドは０．４ｇｐｄのじん性、０．０７ｇｐｄの粘り強さ、４．０ｍ2／ｇの表面積および２．０の繊維品質等級を示した。
比較実施例２
ＰＥが１００％のポリマー溶融物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１０分かけて、上記混合物を０．７８７ｍｍの紡糸口金オリフィスからフラッシュ紡糸した。この得たプレキシフィラメンタリー繊維ストランドが示すじん性および粘り強さはあまりにも低くて測定不能であり、繊維品質等級は２．２であった。
比較実施例３
ＰＰが１００％のポリマー溶融物をこの上に記述したように連続ミキサーに注入してＣＯ2および水と一緒に混合した。このミキサーに入れるポリマー／ＣＯ2比を２．１４にし、そしてこのミキサーに入れるポリマー／水の比率を２．０４にした。次に、約１５分かけて、上記混合物を０．７８７ｍｍの紡糸口金オリフィスからフラッシュ紡糸した。この得たプレキシフィラメンタリー繊維ストランドは１．０ｇｐｄのじん性、０．６の粘り強さ、および１．２の繊維晶質等級を示した。
比較実施例４
２ＧＴが１００％のポリマー溶融物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．７８７ｍｍの紡糸口金オリフィスからフラッシュ紡糸した。この得たプレキシフィラメンタリー繊維ストランドが示すじん性および粘り強さはあまりにも低くて測定不能であり、繊維品質等級は０．７であった。
比較実施例５
Ｎｙｌｏｎ  ６，６が１００％のポリマー溶融物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．７８７ｍｍの紡糸口金オリフィスからフラッシュ紡糸した。この得たプレキシフィラメンタリー繊維ストランドが示すじん性および粘り強さはあまりにも低くて測定不能であり、繊維品質等級は１．２であった。
比較実施例６
ＰＥが９０％でＥＶＯＨが１０％の溶融ブレンド物をこの上に記述したように連続ミキサーに注入してＣＯ2および水と一緒に混合した。このミキサーに入れるポリマー／ＣＯ2比を１．０７にし、そしてこのミキサーに入れるポリマー／水の比率を２．３８にした。次に、約１５分かけて、上記混合物を０．７８７ｍｍの紡糸用オリフィスからフラッシュ紡糸した。この得たプレキシフィラメンタリー繊維ストランドは０．９ｇｐｄのじん性、０．２ｇｐｄの粘り強さ、６．１ｍ2／ｇの表面積および２．５の繊維品質等級を示した。このストランドの断片を２６，０００倍の倍率で取った光顕微鏡写真を図２に示す。
比較実施例７
４ＧＴ−６１３１とＰＰの溶融ブレンド物をこの上に記述したように連続ミキサーに注入してＣＯ2および水と一緒に混合した。このミキサーに入れるポリマー／ＣＯ2比を１．２５に保持し、そしてこのミキサーに入れるポリマー／水の比率を２．８６に保持した。次に、上記混合物を直径が０．８８９ｍｍの紡糸用オリフィスからフラッシュ紡糸した。この試験中、４ＧＴ−６１３１とＰＰの比率が変化した。
混合段階の材料比および生成物の特性を以下の表４に挙げる。
0003953107.tif 000007
比較実施例８
４ＧＴ−６１３１とＰＥＬの溶融ブレンド物をこの上に記述したように連続ミキサーに注入してＣＯ2および水と一緒に混合した。このミキサーに入れるポリマー／ＣＯ2比を１．２５に保持し、そしてこのミキサーに入れるポリマー／水の比率を２．８６に保持した。次に、上記混合物を直径が０．８８９ｍｍの紡糸用オリフィスからフラッシュ紡糸した。この試験中、４ＧＴ−６１３１とＰＥＬの比率が変化した。
混合段階の材料比および生成物の特性を以下の表５に挙げる。
0003953107.tif 000008
比較実施例９
４ＧＴ−６１３１と２ＧＴの溶融ブレンド物をこの上に記述したように連続ミキサーに注入してＣＯ2および水と一緒に混合した。このミキサーに入れるポリマー／ＣＯ2比を１．５から２．０の範囲に保持し、そしてこのミキサーに入れるポリマー／水の比率を３．５７から４．７６の範囲に保持した。次に、上記混合物を直径が０．８８９ｍｍの紡糸用オリフィスからフラッシュ紡糸した。この試験中、４ＧＴ−６１３１と２ＧＴの比率が変化した。
混合段階の材料比および生成物の特性を以下の表６に挙げる。
0003953107.tif 000009
比較実施例１０
４ＧＴ−６１３１が１００％のポリマー溶融物をこの上に記述したように連続ミキサーに注入してＣＯ2および水と一緒に混合した。このミキサーに入れるポリマー／ＣＯ2比を１．２５にし、そしてこのミキサーに入れるポリマー／水の比率を２．８６にした。次に、約１５分かけて、上記混合物を０．８８９ｍｍの紡糸用オリフィスからフラッシュ紡糸した。この得たプレキシフィラメンタリー繊維ストランドは０．８ｇｐｄのじん性、０．２ｇｐｄの粘り強さ、５４％の伸び、４５．０の見掛け平均繊維サイズ、および１．５の繊維品質等級を示した。このサンプルに関して測定した見掛け繊維幅の分布図を図８に示し、ｘ軸に繊維幅（ミクロン）そしてｙ軸にカウント数（＃）を示す。
本発明のブレンドしたポリマー類のプレキシフィラメンタリーストランドで修飾および変形が成され得ることは本分野の技術者に明らかであろう。従って、本発明のより幅広い面において、本発明はこの上に記述した具体的な詳細にも説明的実施例にも限定されるものでない。このように、この上に示した説明、図および実施例が包含する事項は全部制限の意味ではなく説明として解釈されることを意図する。
【図１】
0003953107.tif 000010
【図２】
0003953107.tif 000011
【図３】
0003953107.tif 000012
【図４】
0003953107.tif 000013
【図５】
0003953107.tif 000014
【図６】
0003953107.tif 000015
【図７】
0003953107.tif 000016
【図８】
0003953107.tif 000017